(57)【要約】【課題】光ファイバの分岐構造の適正化によるコストダウンの実現。【解決手段】光信号配信源１から供給される光信号を伝送する伝送用光ファイバ２１〜４が複数の光信号分配先α１〜１６に沿って配置される。光信号分配先α１〜１６それぞれに、伝送用光ファイバ２１〜４から光信号を分岐させて引き込む光分岐器３１〜１６が設けられる。光信号配信源１が供給する光信号の光パワーは、複数の光信号分配先で必要となる光パワーに設定される。光分岐器３１〜１６それぞれの光信号分岐比率は、各光信号分配先α１〜１６で必要となる光パワーを有する状態で光信号分配先α１〜１６それぞれに光信号が分配されるように個別に設定される。【選択図】  図１
2004356807.tif 000002
【特許請求の範囲】
【請求項１】
光信号配信源と、
複数の光信号分配先と
前記複数の光信号分配先の配列方向に沿って配線されて前記光信号配信源から出力される光信号を前記光信号分配先に伝送する伝送用光ファイバと、
前記光信号分配先それぞれに設けられて前記伝送用光ファイバから光信号を分岐させて各光信号分岐先に引き込む光分岐器と、
を備え、
前記光信号配信源は、複数の前記光信号分配先で必要となる光パワーを有する光信号を前記伝送用光ファイバに供給するものであり、
かつ、前記光信号が、各光信号分配先で必要となる光パワーを有する状態で前記光信号分配先それぞれに分配されるように、前記光分岐器それぞれの光信号分岐比率を個別に設定する、
ことを特徴とする光信号伝送構造。
【請求項２】
請求項１に記載の光信号伝送構造において、
前記光信号分配先は、伝送される光信号を電気信号に変換するＯ／Ｅ変換器を備えており、
前記光信号配信源は、複数の前記Ｏ／Ｅ変換器で光電変換可能な光パワーを有する光信号を前記伝送用光ファイバに供給するものであり、
かつ、前記光信号が、各光信号分配先の前記Ｏ／Ｅ変換器で光電変換可能な光パワーを有する状態で前記光信号分配先それぞれに分配されるように、前記光分岐器それぞれの光信号分岐比率を個別に設定する、
ことを特徴とする光信号伝送構造。
【請求項３】
請求項１または２に記載の光信号伝送構造において、
前記光信号分配先は、複数階層を有する建物の各階である、
ことを特徴とする光信号伝送構造。
【請求項４】
請求項１ないし３のいずれかに記載の光信号伝送構造において、
前記信号配信源は、放送電波を受信して電気信号に変換する受信器と、
前記受信器から出力される前記電気信号を光信号に変換するＥ／Ｏ変換器とを有するものである、
ことを特徴とする光信号伝送構造。
【発明の詳細な説明】
【０００１】
【発明の属する技術分野】
本発明は、光信号配信源から出力される光信号を、複数の光信号分配先に分配する光信号伝送構造に関する。
【０００２】
【従来の技術】
従来から、高層建築における放送電波の共同受信システムにおいては、放送電波を光信号に変換して各階の信号配信先（各家庭等）に配信することが実施される。この場合、光信号は次のようにして分配されて各階に配信される。以下の説明では、１６階建ての高層建物αの各階α１〜１６に光信号を配信する場合を例にして従来の配信構造が説明される。
【０００３】
図２に示されるように、受信器１００で受信される放送電波は電気信号に変換されたうえで増幅器１０１Ａ，１０１Ｂで増幅される。増幅された電気信号はＲＦ信号分配器１０２に伝送される。電気信号はＲＦ信号分配器１０２で分配されたのち、各分配出力は、Ｅ／Ｏ変換器１０３Ａ〜１０３Ｄで光信号に変換される。Ｅ／Ｏ変換された光信号は、光信号分配器１０４Ａ〜１０４Ｄそれぞれで４分配されたのち、光信号分配器１０４Ａ〜１０４Ｄから光ファイバケーブル１０５に伝送される。
【０００４】
光ファイバケーブル１０５は、４心の光ファイバテープ心線１０６を複数本（例えば４本）備えており、高層建物αの階層方向（建物上下方向）に沿って地上階（光信号分配器１０４Ａ〜１０４Ｄ設置階）から最上階α１６まで配線される。
【０００５】
各光信号分配器１０４Ａ〜１０４ＤでＥ／Ｏ変換された光信号それぞれは、各光ファイバテープ心線１０６の各心線１０７に伝送される。
【０００６】
高層建物αの各階α１〜１６では、光ファイバテープ心線１０６から任意の１本の心線１０７が切断され、その切断部位に引き出し用光ファイバ１０８が融着接続される。これにより、各階α１〜１６において、任意の心線１０７から引き出し用光ファイバ１０８を介して光信号が引き出される。各階α１〜１６全てにおいて心線１０７の引き出しが可能となるように、光ファイバケーブル１０５の総心線数は高層建物αの階層数に設定される。
【０００７】
引き出し用光ファイバ１０８により引き出された光信号は、各階α１〜１６に設けられたＯ／Ｅ変換器１０９によって電気信号に変換されたのち、その階の最終信号配信先（各住戸等）に引き込まれる。このとき、各心線１０７で伝送される光信号の光パワーは、引き込み階のＯ／Ｅ変換器１０９で光電変換可能な光パワーに設定される。このような光パワーを有する光信号が各心線１０７に伝送されるように、増幅器１０１Ａ，１０１Ｂの増幅率は設定される。（非特許文献１参照）
【０００８】
【非特許文献】
編集・発行（社）日本ＣＡＴＶ技術協会「ＨＦＣシステムの設計」ｐ１５，ｐ３０−ｐ３３
【０００９】
【発明が解決しようとする課題】
従来の光信号伝送構造では、各階α１〜１６の光信号分配先に分配される光信号の光パワーを、引き込み階のＯ／Ｅ変換器１０９で光電変換可能な光パワーに分配するために、光信号分配器１０４Ａ〜１０４Ｄを必要とする。しかしながら、これら光信号分配器１０４Ａ〜１０４Ｄは、比較的高価な部品であるために、その分、光信号伝送構造の設置コストを上昇させていた。
【００１０】
また、光信号分配器１０４Ａ〜１０４Ｄで分配された光信号を、各階α１〜１６それぞれに伝送するために、階層分（図２の例では１６階）分の心線数を必要とする分、さらに光信号伝送構造の設置コストを上昇させていた。
【００１１】
【課題を解決するための手段】
上述した課題を解決するためには、本発明は、光信号配信源と、複数の光信号分配先と前記複数の光信号分配先の配列方向に沿って配線されて前記光信号配信源から出力される光信号を前記光信号分配先に伝送する伝送用光ファイバと、前記光信号分配先それぞれに設けられて前記伝送用光ファイバから光信号を分岐させて各光信号分岐先に引き込む光分岐器とを備えている。前記光信号配信源は、複数の前記光信号分配先で必要となる光パワーを有する光信号を前記伝送用光ファイバに供給するものである。かつ、前記光信号が、各光信号分配先で必要となる光パワーを有する状態で前記光信号分配先それぞれに分配されるように、前記光分岐器それぞれの光信号分岐比率が個別に設定されている。
【００１２】
これにより、１本の伝送用光ファイバで複数の光信号分配先に光信号を伝送することが可能となるので、その分、伝送に必要な伝送用光ファイバの本数を削減できる。また、光分岐器という比較的安価な部品を用いて、各引き込み位置の光信号分配先で必要となる光パワーに分配するために光信号伝送構造のコストを低減することが可能となる。また、各光信号分配先に分配する際の分配比率を、光分岐器の分岐比率の調整により実施できるので、分岐精度を高く維持できるうえに、その調整も容易になる。
【００１３】
なお、本発明の好ましい実施形態として次のものがある。前記光信号分配先は、伝送される光信号を電気信号に変換するＯ／Ｅ変換器を備えている。前記光信号配信源は、複数の前記Ｏ／Ｅ変換器で光電変換可能な光パワーを有する光信号を前記伝送用光ファイバに供給するものである。かつ、前記光信号が、各光信号分配先の前記Ｏ／Ｅ変換器で光電変換可能な光パワーを有する状態で前記光信号分配先それぞれに分配されるように、前記光分岐器それぞれの光信号分岐比率が個別に設定される。
【００１４】
これによれば、光分岐器という比較的安価な部品を用いて、光信号分配先に設けられたＯ／Ｅ変換器で光電変換可能な光パワーを有する状態で光信号を、光信号分配先それぞれに分配することにより、光信号伝送構造のコストを低減することが可能となる。
【００１５】
本発明は、前記光信号分配先が複数階層を有する建物の各階である場合や、前記信号配信源が、放送電波を受信して電気信号に変換する受信器と、前記受信器から出力される前記電気信号を光信号に変換するＥ／Ｏ変換器とを有するものである場合に好適に実施することができる。
【００１６】
【発明の実施の形態】
以下、本発明の一実施形態が図１を参照して説明される。図１は、本発明の一実施形態の光信号伝送構造を示す配線図である。
【００１７】
本実施形態では、高層建築における放送電波の共同受信システムにおいて本発明が実施される。本実施形態では、従来例と同様、１６階建ての高層建物αの光信号配信先である各階α１〜１６に光信号を配信する構成を例にして本発明の光信号伝送構造が説明される。共同受信システムでは、受信した放送電波が電気信号に変換されたのち、さらに光信号に変換されて各階（光信号分配先）に配信される。各階では、配信される光信号が電気信号に変換されたのち最終信号配信先（各住戸等）に供給される。
【００１８】
本実施形態の光信号伝送構造は、光信号配信源１と、第１〜第４の伝送用光ファイバ２１〜４と、光分岐器の一例である光ファイバカプラ３１〜１２と、Ｏ／Ｅ変換器１０１〜１６とを備える。
【００１９】
光信号配信源１は、受信装置４と、第１増幅器５と、同軸ケーブル６と、第２増幅器７と、分配器８と、Ｅ／Ｏ変換器９１〜４とを備える。受信装置４は放送電波を受信して電気信号（ＲＦ信号）に変換する。第１増幅器５は受信装置４が出力する電気信号を増幅する。受信装置４と第１増幅器５とは、通常、高層建物αの屋上に設置される。同軸ケーブル６は、第１増幅器５で増幅される電気信号を屋上から分配器設置階（通常は地上階α１）まで伝送する。第２増幅器７は、分配器設置階に設けられており伝送により減衰する電気信号を増幅する。分配器８は、第２増幅器７で増幅される電気信号を複数の伝送経路（図では４経路）に分配する。Ｅ／Ｏ変換器９１〜４は各伝送経路毎に設けられており、分配器８により分配される電気信号をそれぞれ光信号にＥ／Ｏ変換する。受信装置４と第１増幅器５と同軸ケーブル６とを除いて光信号配信源１は、高層建物αの地上階（最上階でもよい）に設置される。
【００２０】
伝送用光ファイバ２１〜４は、伝送経路（図では４経路）毎に設けらており、それぞれ単一本の光ファイバから構成される。伝送用光ファイバ２１〜４は、高層建物αの階層方向（上下方向）に沿って配線される。
【００２１】
第１の伝送用光ファイバ２１は、Ｅ／Ｏ変換器設置階（地上階α１）から４階まで配線される。第１の伝送用光ファイバ２１は、第１のＥ／Ｏ変換器９１でＥ／Ｏ変換された光信号をＥ／Ｏ変換器設置階（地上階α１）から４階α４まで伝送する光ファイバであって、地上階α１で第１のＥ／Ｏ変換器９１に接続される。
【００２２】
第２の伝送用光ファイバ２２は、Ｅ／Ｏ変換器設置階（地上階α１）から８階α８まで配線される。第２の伝送用光ファイバ２２は、第２のＥ／Ｏ変換器９２でＥ／Ｏ変換される光信号を５階α１から８階α８まで伝送する光ファイバであって、地上階α１で第２のＥ／Ｏ変換器９２に接続される。
【００２３】
第３の伝送用光ファイバ２３は、Ｅ／Ｏ変換器設置階（地上階α１）から１２階α１２まで配線される。第３の伝送用光ファイバ２３は、第３のＥ／Ｏ変換器９３でＥ／Ｏ変換される光信号を９階α９から１２階α１２まで伝送する光ファイバであって、地上階α１で第３のＥ／Ｏ変換器９３に接続される。
【００２４】
第４の伝送用光ファイバ２４は、Ｅ／Ｏ変換器設置階（地上階α１）から最上階（１６階）α１６まで配線される。第４の伝送用光ファイバ２４は、第４のＥ／Ｏ変換器９４でＥ／Ｏ変換される光信号を１３階α１３から最上階（１６階）α１６まで伝送する光ファイバであって、地上階α１で第４のＥ／Ｏ変換器９４に接続される。
【００２５】
光ファイバカプラ３１〜１２は、高層建物αの１階α１〜３階α３、５階α５〜７階α７、９階α９〜１１階α１１、１３階α１３〜１５階α１５にそれぞれ設けられる。第１〜第３の光ファイバカプラ３１〜３は、第１の伝送用光ファイバ２１に対応して設けられる。第１の光ファイバカプラ３１は、１階α１において第１の伝送用光ファイバ２１に設けられる。第２の光ファイバカプラ３２は、２階α２において第１の伝送用光ファイバ２１に設けられる。第３の光ファイバカプラ３３は、３階α３において第１の伝送用光ファイバ２１に設けられる。
【００２６】
第４〜第６の光ファイバカプラ３４〜６は、第２の伝送用光ファイバ２２に対応して設けられる。第４の光ファイバカプラ３４は、５階α５において第２の伝送用光ファイバ２２に設けられる。第５の光ファイバカプラ３５は、６階α６において第２の伝送用光ファイバ２２に設けられる。第６の光ファイバカプラ３６は、７階α７において第２の伝送用光ファイバ２２に設けられる。
【００２７】
第７〜第９の光ファイバカプラ３７〜９は、第３の伝送用光ファイバ２３に対応して設けられる。第７の光ファイバカプラ３７は、９階α９において第３の伝送用光ファイバ２３に設けられる。第８の光ファイバカプラ３８は、１０階α１０において第３の伝送用光ファイバ２３に設けられる。第９の光ファイバカプラ３９は、１１階α１１において第３の伝送用光ファイバ２３に設けられる。
【００２８】
第１０〜第１２の光ファイバカプラ３１０〜１２は、第４の伝送用光ファイバ２４に対応して設けられる。第１０の光ファイバカプラ３１０は、１３階α１３において第４の伝送用光ファイバ２４に設けられる。第１１の光ファイバカプラ３１１は、１４階α１４において第４の伝送用光ファイバ２４に設けられる。第１２の光ファイバカプラ３１２は、１５階α１５において第４の伝送用光ファイバ２４に設けられる。
【００２９】
４階α４，８階α８，１２階α１２，１６階α１６には、光ファイバカプラ３１〜１２は設けられない。これらの階では、第１〜第４の伝送用光ファイバ２１〜４の先端が分岐されることなく引き出される。
【００３０】
第１〜第１２の光ファイバカプラ３１〜１２は、引き出し用光ファイバ１１を備える。第１〜第１２の光ファイバカプラ３１〜１２は、引き出し用光ファイバ１１を第１〜第４の伝送用光ファイバ２１〜４に融着接続することで第１〜第４の伝送用光ファイバ２１〜４から光信号を分岐させて取り出す。その際、融着接続部位の延伸率を調整することで、分岐率、すなわち、本線である第１〜第４の伝送用光ファイバ２１〜４から分岐させる光信号の光パワー比率を任意に調整する。第１〜第１２の光ファイバカプラ３１〜１２は、分岐比率を調整することで、各階α１〜１６のＯ／Ｅ変換器１０１〜１６で光電変換可能な光パワーを有する光信号を第１〜第４の伝送用光ファイバ２１〜４から分岐させる。
【００３１】
Ｏ／Ｅ変換器１０１〜１６は、各階α１〜１６に設置されており、引き出し用光ファイバ１１の先端もしくは第１〜第４の伝送用光ファイバ２１〜４の先端に接続される。Ｏ／Ｅ変換器１０１〜１６は、引き出し用光ファイバ１１が伝送用光ファイバ２１〜４から引き出した光信号や、伝送用光ファイバ２１〜４の先端に残余する光信号をＯ／Ｅ変換により電気信号に変換する。
【００３２】
本実施形態の光信号伝送構造では、受信装置４における受信操作と電気変換操作とにより生成される電気信号は、第１，第２の増幅器５，７により増幅されたのち、分配器８で分配される。分配器８で分配される各分配出力は、Ｅ／Ｏ変換器９１〜４で光信号に変換されたのち、第１〜第４の伝送用光ファイバ２１〜４を伝送する。第１〜第４の伝送用光ファイバ２１〜４を伝送する光信号は、光ファイバカプラ３１〜１２による分岐操作を受けて、各階α１〜１６の引き出し用光ファイバ１１や第１〜第４の伝送用光ファイバ２１〜４の先端に伝送される。引き出し用光ファイバ１１や第１〜第４の伝送用光ファイバ２１〜４の先端に伝送される光信号は、各階α１〜１６のＯ／Ｅ変換器１０１〜１６で電気信号に変換される。各階α１〜１６で光電変換により生成される電気信号は分配操作と増幅操作とが実施されたのち各階α１〜１６個別の最終配信先に配信される。図中、２０は、増幅器と分配器と各配信先とを含んだ構成を示しており、図１では、各階α１〜１６において、光信号から変換した電気信号を計８戸の最終配信先に配信する。
【００３３】
このような構成を有する本実施形態の光信号伝送構造では、第２増幅器７による電気信号の増幅率を次のように設定する。Ｏ／Ｅ変換器１０１〜１６は、装置固有の受光レベルを備える。ここでいう受光レベルとは、入力される光信号をＯ／Ｅ変換器１０１〜１６でＯ／Ｅ変換することが可能となる光信号の光パワーのことをいう。そのため、各階α１〜１６に光信号を引き込む際には、引き込む分岐光信号の光パワーを、Ｏ／Ｅ変換器１０１〜１６の受光レベルに相当する光パワー以上の値に設定する必要がある。
【００３４】
本実施形態では、１本の伝送用光ファイバ２１〜４で４階分の光信号を伝送したうえで伝送した光信号を各階α１〜１６で伝送用光ファイバ２１〜４から分岐する構成となっている。そのため、１本の伝送用光ファイバ２１〜４で伝送する光信号の光パワーを、４階分のＯ／Ｅ変換器１０１〜１６の受光レベルに相当する値に設定する必要がある。
【００３５】
そこで、第２増幅器７では、各伝送用光ファイバ２１〜４に伝送する光信号の光パワーが、４階分のＯ／Ｅ変換器１０１〜１６の受光レベルに相当する値になるようにその増幅率が設定される。なお、第２増幅器７の電気信号出力は分配器８により４分配されたのち、分配器８それぞれの出力がＥ／Ｏ変換器９１〜４で光信号に変換される。そのため、各Ｅ／Ｏ変換器９１〜４の出力（光信号）が４階分のＯ／Ｅ変換器１０１〜１６の受光レベルに相当する値になるように第２増幅器７の増幅率は設定される。
【００３６】
第２増幅器７の増幅率を上記のように設定することで、第１〜第４の伝送用光ファイバ２１〜４には、４階分のＯ／Ｅ変換器１０１〜１６の受光レベルを有する光信号が伝送される。光ファイバカプラ３１〜１６を設けることで、伝送用光ファイバ２１〜４を伝送する光信号から、Ｏ／Ｅ変換器１０１〜１２の受光レベルに相当する光パワーを有する光信号が分岐されて引き出し用光ファイバ１１や伝送用光ファイバ２１〜４の先端に伝送される。各光ファイバカプラ３１〜１２の分岐比率は、上述したように、引き出し用光ファイバ１１と伝送用光ファイバ２１〜４との接続部位における光ファイバの延伸率を調整することで任意に設定することができる。
【００３７】
以下、各光ファイバカプラ３１〜１２の分岐比率の例を説明する。ここでは、各階α１〜１６に、受光レベル（＋２．０ｄＢｍ以上）のＯ／Ｅ変換器１０１〜１６を設ける場合を想定して説明する。この場合、光信号配信源１は、伝送用光ファイバ２１〜４に＋９．０ｄＢｍの光パワーを有する光信号を供給する。さらには、１，５，９，１３階α１，α５，α９，α１３に設けられる光ファイバカプラ３１，３５，３９，３１３の分岐比は、伝送用光ファイバ：引き出し用光ファイバ＝２：８に設定される。２，６，１０，１４階α２，α６，α１０，α１４に設けられる光ファイバカプラ３２，３６，３１０，３１４の分岐比は、伝送用光ファイバ：引き出し用光ファイバ＝７：３に設定される。３，７，１１，１５階α３，α７，α１１，α１５に設けられる光ファイバカプラ３３，３７，３１１，３１５の分岐比は、伝送用光ファイバ：引き出し用光ファイバ＝５：５に設定される。
【００３８】
以上のように設定されることで、１，５，９，１３階α１，α５，α９，α１３に設けられるＯ／Ｅ変換器１０１，１０５，１０９，１０１３には、＋２．０１ｄＢｍの光パワーを有する光信号が供給される。２，６，１０，１４階α２，α６，α１０，α１４に設けられるＯ／Ｅ変換器１０２，１０６，１０１０，１０１４には、＋２．８０ｄＢｍの光パワーを有する光信号が供給される。３，７，１１，１５階α３，α７，α１１，α１５に設けられるＯ／Ｅ変換器１０３，１０７，１０１１，１０１５には、＋３．４７ｄＢｍの光パワーを有する光信号が供給される。４，８，１２，１６階α４，α８，α１２，α１６に設けられるＯ／Ｅ変換器１０４，１０８，１０１２，１０１６には、＋３．４７ｄＢｍの光パワーを有する光信号が供給される。
【００３９】
このようにして、引き出し用光ファイバ１１を伝送する光信号の光パワーを、Ｏ／Ｅ変換器１０１〜１６の受光レベル以上に維持することにより、各Ｏ／Ｅ変換器１０１〜１６は、入力される光信号を精度高く電気信号（ＲＦ信号）に変換できる。Ｏ／Ｅ変換器１０１〜１６で変換される電気信号は、増幅処理と分配処理とが実施されたのち、各階α１〜１６の各最終分配先（集合住宅の場合は各住戸）に引き込まれる。
【００４０】
また、本実施形態では、１６階の高層建物αを光信号伝送対象としており、さらには１本の伝送用光ファイバ２１〜４で４階分の光信号を伝送するようにしている。そのため、階層数（１６）を、１本の伝送用光ファイバ２１〜４で伝送可能な階層数（４）で除算した値１６／４＝４を、伝送用光ファイバ２１〜４の本数（４）に設定する。
【００４１】
本実施形態の光信号伝送構造では、１本当たり４階分の光信号を伝送可能な第１〜第４の伝送用光ファイバ２１〜４を４本配線するという、必要最小限の配線数の伝送用光ファイバ２１〜４によってすべての階α１〜１６に光信号を配信している。そのため、伝送用光ファイバ２１〜４の本数削減によるコストダウンを図ることができる。
【００４２】
また、第１〜第４の伝送用光ファイバ２１〜４は、Ｅ／Ｏ変換器９１〜４の設置階（地上階α１）から配線対象としている階までしか配線されておらず、配線対象としない階には不必要な伝送用光ファイバ２１〜４は存在しない。そのため、余剰な伝送用光ファイバ２１〜４の配線がない分、コストダウンを図ることができる。
【００４３】
具体的には、第１の伝送用光ファイバ２１は４階まで配線されて４階より上層階には配線されていない。第２の伝送用光ファイバ２２は８階まで配線されて８階より上層階には配線されていない。第３の伝送用光ファイバ２３は１２階まで配線されて１２階より上層階には配線されていない。第４の伝送用光ファイバ２４だけが１６階まで配線される。
【００４４】
本実施形態では、１本の伝送用光ファイバ２１〜４を伝送させる光信号の光パワーを、４階分のＯ／Ｅ変換器１０１〜１６の受光レベルを満足する光パワーに設定することで、１６階の高層建物αに対して、４本の伝送用光ファイバ２１〜４を配線した。このような配線数の設定は、本発明の一例に過ぎず、他のいずれの設定にしてもよい。例えば、１本の伝送用光ファイバを伝送させる光信号の光パワーを、６階分のＯ／Ｅ変換器１０１〜１６の受光レベルを満足する光パワーに設定すれば、１６階の高層建物αに対して、２本の伝送用光ファイバを配線すればよくなる。この場合、各階α１〜１６に配給する光信号の光パワーの設定（光ファイバカプラの分岐比率の設定）は別途設定される。この場合であっても、Ｏ／Ｅ変換器で光電変換可能な光パワーを有する状態で各階α１〜１６で分配されるように、光ファイバカプラの光信号分岐比率が個別に設定される。
【００４５】
【発明の効果】
以上説明したように、本発明によれば、光信号伝送構造の構造が簡単になってコストダウンを図ることができる。
【図面の簡単な説明】
【図１】本発明の一実施形態の光信号伝送構造の示す配線図。
【図２】従来の光信号伝送構造の示す配線図。
【符号の説明】
１  光信号配信源
２１〜４  伝送用光ファイバ
３１〜１６  光ファイバカプラ
４  受信装置
５  第１増幅器
６  同軸ケーブル
７  第２増幅器
８  分配器
９１〜４  Ｅ／Ｏ変換器
１０１〜１６  Ｏ／Ｅ変換器
１１  引き出し用光ファイバ
【図１】
2004356807.tif 000003
【図２】
2004356807.tif 000004